(57)【要約】小室、上部、およびテーパー付き縁部を有する底部を有する本体（１５０）と、本体に連結され、かつ、小室内に収納された菓子物品を小分けするよう操作可能な開閉部（１１０）と、を含むことを特徴とする菓子物品を小分けするための小分け容器（１００）。
2005500212.tif 000002
【特許請求の範囲】
【請求項１】
小分け容器であって、
菓子物品を収納するための小室を有する本体と、
該本体に連結され、かつ、上記小室内に収納された菓子物品を小分けするよう動作可能な開閉部と、
を含み、
上記本体は、
上部であって、該開閉部を含む上部と、
狭い部位に該本体を挿入するよう設計されたテーパー付き縁部を有する底部と、
をさらに含むことを特徴とする小分け容器。
【請求項２】
請求項１に記載の小分け容器であって、
狭い部位は、煙草パッケージの包装材と煙草パッケージとの間の部位であることとする小分け容器。
【請求項３】
請求項２に記載の小分け容器であって、
本体は底壁を含み、かつ、開閉部は最下部を含み、該底壁と該開閉部の最下部との間の長さが、包装材と煙草パッケージとの間に本体が挿入されている間、上記開閉部を開けることができ、かつ、上記本体の小室から菓子物品を抽出することができるような予め決められた量であることとする小分け容器。
【請求項４】
請求項２に記載の小分け容器であって、
煙草パッケージは、フリップトップを有する硬質の煙草パッケージであることとする小分け容器。
【請求項５】
請求項２に記載の小分け容器であって、
本体は、上壁および底壁を含み、該上壁と該底壁との間の長さが、包装材と煙草パッケージとの間に該本体が挿入されている間、フリップトップを開けることができ、かつ、煙草を抽出することができるような予め決められた量であることとする小分け容器。
【請求項６】
請求項１に記載の小分け容器であって、
菓子物品は、ミントであることとする小分け容器。
【請求項７】
請求項１に記載の小分け容器であって、
菓子物品は、ガムであることとする小分け容器。
【請求項８】
請求項１に記載の小分け容器であって、
菓子物品は、キャンディーであることとする小分け容器。
【請求項９】
請求項１に記載の小分け容器であって、
本体および開閉部は、半透明の材料から作られていることとする小分け容器。
【請求項１０】
請求項２に記載の小分け容器であって、
包装材は、軟質プラスチックの包装材であることとする小分け容器。
【請求項１１】
請求項２に記載の小分け容器であって、
煙草パッケージは、軟質の煙草パッケージであることとする小分け容器。
【請求項１２】
請求項２に記載の小分け容器であって、
煙草パッケージは、丈長の煙草パッケージであることとする小分け容器。
【請求項１３】
請求項２に記載の小分け容器であって、
煙草パッケージは、幅広の煙草パッケージであることとする小分け容器。
【請求項１４】
請求項１に記載の小分け容器であって、
第二の開閉部をさらに含み、
該開閉部は、本体の第一の側面に設置され、かつ、該第二の開閉部は、該本体の第二の側面に設置され、各開閉部は、小室内に収納された菓子物品を小分けするよう操作可能であることとする小分け容器。
【請求項１５】
請求項１に記載の小分け容器であって、
第二の開閉部と、
第二の小室と、
をさらに含み、
該開閉部は、本体の第一の側面に設置され、かつ、上記小室内に収納された菓子物品を小分けするよう操作可能であり、かつ、上記第二の開閉部は、上記本体の第二の側面に設置され、かつ、上記第二の小室内に収納された物品を小分けするよう操作可能であることとする小分け容器。
【請求項１６】
請求項１に記載の小分け容器であって、
開閉部を本体に連結するためのヒンジをさらに含むこととする小分け容器。
【請求項１７】
小分け容器であって、
菓子物品を収納するための小室を有する本体と、
該本体に連結され、かつ、上記小室内に収納された菓子物品を小分けするよう操作可能な開閉部と、
を含み、
上記本体は、
上部であって、該上部は上壁を有し、かつ、最下部を有する該開閉部を含む上部と、
底壁を有するテーパー付き縁部を含み、該テーパー付き縁部が、煙草パッケージの包装材と該煙草パッケージとの間に該本体を挿入するよう設計されている底部と、
をさらに含み、
上記開閉部は、上記包装材と上記煙草パッケージとの間に上記本体が挿入されている間、該本体の該小室から菓子物品を抽出することができるよう配置されていることを特徴とする小分け容器。
【請求項１８】
請求項１７に記載の小分け容器であって、
開閉部は、底壁と開閉部の最下部との間の長さが、予め決められた量であるよう配置されていることとする小分け容器。
【請求項１９】
請求項１７に記載の小分け容器であって、
菓子物品は、ミントであることとする小分け容器。
【請求項２０】
請求項１７に記載の小分け容器であって、
菓子物品は、ガムであることとする小分け容器。
【請求項２１】
請求項１７に記載の小分け容器であって、
菓子物品は、キャンディーであることとする小分け容器。
【請求項２２】
請求項１７に記載の小分け容器であって、
本体および開閉部は、半透明の材料から作られていることとする小分け容器。
【請求項２３】
請求項１７に記載の小分け容器であって、
包装材は、軟質プラスチックの包装材であることとする小分け容器。
【請求項２４】
請求項１７に記載の小分け容器であって、
開閉部を該本体に連結するためのヒンジをさらに含むこととする小分け容器。
【請求項２５】
小分け容器であって、
菓子物品を収納するための小室を有する本体と、
該本体に連結され、かつ、上記小室内に収納された菓子物品を小分けするよう操作可能な開閉部と、
を含み、
上記本体は、
上部であって、上記開閉部および上壁を含む上部と、
底壁を有するテーパー付き縁部を含み、該テーパー付き縁部が、煙草パッケージの包装材と該煙草パッケージとの間に本体を挿入するよう設計されている底部と、
をさらに含み、
上記上壁と上記底壁との間の長さが、上記包装材と上記煙草パッケージとの間に上記本体が挿入されている間、煙草パッケージのフリップトップを開けることができ、かつ、煙草を抽出することができるような予め決められた量であることを特徴とする小分け容器。
【請求項２６】
請求項２５に記載の小分け容器であって、
菓子物品は、ミントであることとする小分け容器。
【請求項２７】
請求項２５に記載の小分け容器であって、
菓子物品は、ガムであることとする小分け容器。
【請求項２８】
請求項２５に記載の小分け容器であって、
菓子物品は、キャンディーであることとする小分け容器。
【請求項２９】
請求項２５に記載の小分け容器であって、
本体および開閉部は、半透明の材料から作られていることとする小分け容器。
【請求項３０】
請求項２５に記載の小分け容器であって、
包装材は、軟質プラスチックの包装材であることとする小分け容器。
【請求項３１】
請求項２５に記載の小分け容器であって、
開閉部を本体に連結するためのヒンジをさらに含むこととする小分け容器。
【請求項３２】
小分け容器であって、
菓子物品を収納するための小室を有する本体と、
ヒンジと、
該ヒンジによって該本体に連結され、かつ、該小室内に収納された該菓子物品を小分けするよう操作可能な開閉部と、
を含み、
上記本体は、
上部であって、最下部を有する該開閉部および上壁を含む上部と、
底壁を有するテーパー付き縁部を含み、該テーパー付き縁部が、煙草パッケージの包装
材と該煙草パッケージとの間に該本体を挿入するよう設計されている底部と、
をさらに含み、
上記上壁と上記底壁との間の長さが、上記包装材と上記煙草パッケージとの間に上記本体が挿入されている間、該煙草パッケージのフリップトップを開けることができ、かつ、煙草を抽出することができるような予め決められた量であり、かつ、
上記開閉部は、上記包装材と上記煙草パッケージとの間に上記本体が挿入されている間、該本体の上記小室から菓子物品を抽出することができるよう配置されていることを特徴とする小分け容器。
【請求項３３】
請求項３２に記載の小分け容器であって、
開閉部は、底壁と開閉部の最下部との間の長さが、予め決められた量であるよう配置されていることとする小分け容器。
【請求項３４】
請求項３２に記載の小分け容器であって、
菓子物品は、ミントであることとする小分け容器。
【請求項３５】
請求項３２に記載の小分け容器であって、
菓子物品は、ガムであることとする小分け容器。
【請求項３６】
請求項３２に記載の小分け容器であって、
菓子物品は、キャンディーであることとする小分け容器。
【請求項３７】
請求項３２に記載の小分け容器であって、
本体および開閉部は、半透明の材料から作られていることとする小分け容器。
【請求項３８】
請求項３２に記載の小分け容器であって、
包装材は、軟質プラスチックの包装材であることとする小分け容器。
【請求項３９】
フリップトップを有する硬質の煙草パッケージ用に設計された小分け容器であって、
菓子物品を収納するための小室を有し、かつ、上記煙草パッケージの包装材と該煙草パッケージとの間に挿入されるように適合された本体であって、上記本体は、
上壁と、
一対の側壁と、
底壁と、
第一のテーパー付き縁部を有する前壁、および
第二のテーパー付き縁部を有する背壁と、
ヒンジと、
該ヒンジによって上記本体に連結され、かつ、上記小室内に収納された菓子物品を小分けするよう操作可能な開閉部であって、最下部を有する開閉部と、
をさらに含み、
上記上壁と上記底壁との間の長さが、上記煙草パッケージの上記包装材と該煙草パッケージとの間に上記本体が挿入されている間、該煙草パッケージの上記フリップトップを開けることができ、かつ、煙草を抽出することができるような予め決められた量であり、かつ、
上記開閉部は、上記包装材と上記煙草パッケージとの間に上記本体が挿入されている間、該本体の小室から菓子物品を抽出することができるように配置されていることを特徴とする小分け容器。
【請求項４０】
請求項３９に記載のフリップトップを有する硬質の煙草パッケージ用に設計された小分け容器であって、
開閉部は、底壁と該開閉部の最下部との間の長さが、予め決められた量であるよう配置されていることとする小分け容器。
【請求項４１】
小分け容器であって、
菓子物品を収納するための小室を有する本体と、
該本体に連結され、かつ、上記小室内に収納された菓子物品を小分けするよう操作可能な開閉部と、
を含み、
上記本体は、
上部であって、上壁を有し、かつ、最下部を有する該開閉部を含む上部と、
底壁を有する底部と、
をさらに含み、
上記開閉部は、煙草パッケージの包装材と該煙草パッケージとの間に上記本体が挿入されている間、該本体の上記小室から菓子物品を抽出することができるよう配置されていることを特徴とする小分け容器。
【請求項４２】
請求項４１に記載のフリップトップを有する硬質の煙草パッケージ用に設計された小分け容器であって、
開閉部は、底壁と開閉部の最下部との間の長さが予め決められた量であるよう配置されていることとする小分け容器。
【請求項４３】
小分け容器であって、
菓子物品を収納するための小室を有する本体と、
該本体に連結され、かつ、該小室内に収納された該菓子物品を小分けするように動作可能な開閉部と、
を含み、
上記本体は、
上部であって、該開閉部および上壁を含む上部と、
底壁を有する底部と、
をさらに含み、
上記上壁と上記底壁との間の長さが、煙草パッケージの包装材と該煙草パッケージとの間に上記本体が挿入されている間、煙草パッケージのフリップトップを開けることができ、かつ、煙草を抽出することができるような予め決められた量であることを特徴とする小分け容器。
【請求項４４】
小分け容器であって、
菓子物品を収納するための小室を有する本体と、
該本体に連結され、かつ、上記小室内に収納された菓子物品を小分けするよう操作可能な開閉部と、
を含み、
上記本体は、
上部であって、最下部を有する上記開閉部および上壁を含む上部と、
底壁を有する底部と、
をさらに含み、
上記上壁と上記底壁との間の長さが、上記煙草パッケージの包装材と該煙草パッケージとの間に上記本体が挿入されている間、煙草パッケージのフリップトップを開けることができ、かつ、煙草を抽出することができるような予め決められた量であり、かつ、
上記開閉部は、上記包装材と上記煙草パッケージとの間に上記本体が挿入されている間、該本体の該小室から菓子物品を抽出することができるよう配置されていることを特徴とする小分け容器。
【請求項４５】
請求項４４に記載のフリップトップを有する硬質の煙草パッケージ用に設計された小分け容器であって、
開閉部は、底壁と開閉部の最下部との間の長さが、予め決められた量であるよう配置されていることとする小分け容器。
【発明の詳細な説明】
【技術分野】
【０００１】
本発明は、小分け容器、および、より詳しくは、物品を収納し、かつ、狭い場所（例えば、煙草パッケージ包装材と煙草パッケージの板紙との間）に容易に挿入することができる薄い小分け容器に関する。
【発明の背景】
【０００２】
ミントおよびガムなどの菓子物品用のパッケージングには、多くの異なる様式がある。そのようなパッケージング様式の一つは、ミントを保持する薄く、硬質の、長方形のパッケージである。ミントは、パッケージの隅部にある単一の開口を通して、パッケージから取り出すことができる。このパッケージは、煙草パックの包装材と板紙との間に置くことができるものの、それは、喫煙者を対象としてはおらず、そのような方法でミントパッケージを使用することには、少なくとも三つの重要な問題がある。すなわち、１）ミントパッケージの底縁部の幅のため、使用者が煙草パックの包装材と板紙との間にミントパッケージを滑らせるのは困難である。２）ミントパッケージの高さが、フリップトップ式煙草パックからの煙草の取り出しを制限し、煙草が必要なたびにミントパッケージを取り出さなければならない。３）ミントを取り出すための開口は、ミントパッケージが煙草パック内にある間、取り出しを容易には可能とせず、ミントが必要なたびに煙草パッケージからミントパッケージを取り出さなければならない。
【０００３】
その結果、包装材と煙草パッケージとの間に小分け容器を容易に滑らせることができ、かつ、包装材と煙草パッケージとの間に小分け容器が保持されている間、小分け容器から物品を取り出すことができ、かつ、煙草パッケージから煙草を取り出すことができる、菓子物品などの小さい食用物品を収納し、かつ、小分けするための小分け容器が、求められている。
【発明の要約】
【０００４】
本発明の一態様は、小分け容器を提供する。該小分け容器は、菓子物品を収納するための小室を有する本体と、該本体に連結され、かつ、該小室内に収納された該菓子物品を小分けするよう操作可能な開閉部と、を含み、該本体は、上部であって、該上部は、該開閉部を含む上部と、狭い場所に本体を挿入するよう設計されたテーパー付き縁部を有する底部と、をさらに含んでいる。
【０００５】
本発明の別の態様は、小分け容器を提供する。該小分け容器は、菓子物品を収納するための小室を有する本体と、該本体に連結され、かつ、該小室内に収納された該菓子物品を小分けするよう操作可能な開閉部と、を含み、該本体は、上部であって、該上部は、上壁を有し、かつ、最下部を有する該開閉部を含む上部と、底壁を有するテーパー付き縁部を含み、該テーパー付き縁部が、煙草パッケージの包装材と該煙草パッケージとの間に該本体を挿入するよう設計されている底部と、をさらに含み、該開閉部は、該包装材と該煙草パッケージとの間に該本体が挿入されている間、該本体の該小室から該菓子物品を抽出することができるよう配置されている。
【０００６】
本発明の別の態様は、小分け容器を提供する。該小分け容器は、菓子物品を収納するための小室を有する本体と、該本体に連結され、かつ、該小室内に収納された該菓子物品を小分けするよう操作可能な開閉部と、を含み、該本体は、上部であって、該上部は、該開閉部および上壁を含む上部と、底壁を有するテーパー付き縁部を含み、該テーパー付き縁部が、煙草パッケージの包装材と該煙草パッケージとの間に該本体を挿入するよう設計されている底部と、をさらに含み、該上壁と該底壁との間の長さは、該包装材と該煙草パッケージとの間に該本体が挿入されている間、煙草パッケージのフリップトップを開けることができ、かつ、煙草を抽出することができるような予め決められた量である。
【０００７】
本発明のさらに別の態様は、小分け容器を提供する。該小分け容器は、菓子物品を収納するための小室を有する本体と、ヒンジと、該ヒンジによって該本体に連結され、かつ、該小室内に収納された該菓子物品を小分けするよう操作可能な開閉部と、を含み、該本体は、上部であって、該上部は、最下部を有する該開閉部および上壁を含む上部と、底壁を有するテーパー付き縁部を含み、該テーパー付き縁部が、煙草パッケージの包装材と該煙草パッケージとの間に該本体を挿入するよう設計されている底部と、をさらに含み、該上壁と該底壁との間の長さは、該包装材と該煙草パッケージとの間に該本体が挿入されている間、煙草パッケージのフリップトップを開けることができ、かつ、煙草を抽出することができるような予め決められた量であり、かつ、該開閉部は、該包装材と該煙草パッケージとの間に該本体が挿入されている間、該本体の該小室から該菓子物品を抽出することができるように配置されている。
【０００８】
本発明のさらなる態様は、フリップトップを有する硬質の煙草パッケージ用に設計された小分け容器を提供する。該小分け容器は、菓子物品を収納するための小室を有し、かつ、該煙草パッケージの包装材と該煙草パッケージとの間に挿入されるよう設計された本体であって、該本体は、上壁と、一対の側壁と、底壁と、第一のテーパー付き縁部を有する前壁、および第二のテーパー付き縁部を有する背壁と、ヒンジと、該ヒンジによって該本体に連結され、かつ、該小室内に収納された該菓子物品を小分けするよう操作可能な開閉部であって、該開閉部は、最下部を有する開閉部と、をさらに含み、該上壁と該底壁との間の長さは、該煙草パッケージの該包装材と該煙草パッケージとの間に該本体が挿入されている間、該煙草パッケージの該フリップトップを開けることができ、かつ、煙草を抽出することができるような予め決められた量であり、かつ、該開閉部は、該包装材と該煙草パッケージとの間に該本体が挿入されている間、該本体の該小室から該菓子物品を抽出することができるように配置されている。
【０００９】
本発明の別の態様は、小分け容器を提供する。該小分け容器は、菓子物品を収納するための小室を有する本体と、該本体に連結され、かつ、該小室内に収納された該菓子物品を小分けするよう操作可能な開閉部と、を含み、該本体は、上部であって、該上部は、上壁を有し、かつ、最下部を有する該開閉部を含む上部と、底壁を有する底部と、をさらに含み、該開閉部は、煙草パッケージの包装材と該煙草パッケージとの間に該本体が挿入されている間、該本体の該小室から該菓子物品を抽出することができるように配置されている。
【００１０】
本発明の別の態様は、小分け容器を提供する。該小分け容器は、菓子物品を収納するための小室を有する本体と、該本体に連結され、かつ、該小室内に収納された該菓子物品を小分けするよう操作可能な開閉部と、を含み、該本体は、上部であって、該上部は、該開閉部および上壁を含む上部と、底壁を有する底部と、をさらに含み、該上壁と該底壁との間の長さは、煙草パッケージの包装材と該煙草パッケージとの間に該本体が挿入されている間、煙草パッケージのフリップトップを開けることができ、かつ、煙草を抽出することができるような予め決められた量である。
【００１１】
本発明のさらに別の態様は、小分け容器を提供する。該小分け容器は、菓子物品を収納するための小室を有する本体と、該本体に連結され、かつ、該小室内に収納された該菓子物品を小分けするよう操作可能な開閉部と、を含み、該本体は、上部であって、該上部は、最下部を有する該開閉部および上壁を含む上部と、底壁を有する底部と、をさらに含み、該上壁と該底壁との間の長さは、該煙草パッケージの包装材と該煙草パッケージとの間に該本体が挿入されている間、煙草パッケージのフリップトップを開けることができ、かつ、煙草を抽出することができるような予め決められた量であり、かつ、該開閉部は、該包装材と該煙草パッケージとの間に該本体が挿入されている間、該本体の該小室から該菓子物品を抽出することができるように配置されている。
【好適な実施形態】
【００１２】
図１は、本発明の代表的な小分け容器１００を示す。小分け容器１００は、本体１５０と、例えば、ヒンジ１３５によって本体１５０に連結されている開閉部１１０と、を含んでいる。しかしながら、本発明で使用されている開閉部は、通常のヒンジ付き開閉部よりも広く解釈されるべきである。該開閉部は、スライド、可撓性フラップ、あるいは、感圧式のスリットまたは穴など、内側に物品を保つ可能性が高いが必要な時には物品が抽出されるのを可能にするいかなる機構をも含むことができる。本体１５０および開閉部１１０は、半透明の材料を含む任意の硬質または半硬質材料から作ることができる。ヒンジ１３５は、開閉部１１０が開閉することができるよう操作可能である。小分け容器１００は、菓子物品などの小さい食用物品７０５を収納するための、図５および７に示した小室５０５も含んでいる。菓子物品は、ミント、ガム、またはキャンディーを含むことができるが、それらに限定されない。この技術分野において通常の知識を有する人には理解されるように、本体１５０は、小室として機能することができ、したがって、小さい食用物品を包含することができ、該物品は、開閉部１００を使用することによって抽出することができる。
【００１３】
本体１５０は、上壁１３０、底壁１２０、一対の側壁１２５ａ、１２５ｂ、前壁１０５、背壁２０５およびテーパー付き縁部１１５を含んでいる。代表的な実施形態では、開閉部１１０は、前壁１０５上に、かつ、本体１５０の上部内に設置され、かつ、テーパー付き縁部１１５は、本体１５０の底部内で前壁１０５および背壁２０５上に対称的に設置されている。代替の実施形態では、テーパー付き縁部１１５は、前壁１０５および（または）背壁２０５上に、多かれ少なかれテーパーを付けることができる。
【００１４】
図２は、開閉部１１０が閉じた状態の代表的な小分け容器１００の側面図を示す。図２に見られるように、テーパー付き縁部１１５は、本体１５０の底部内で前壁１０５および背壁２０５上に対称的に設置されている。テーパー付き縁部１１５は、底壁１２０に向かって次第に細くなっている。さらに、前面１０５から裏面２０５までの厚さｘは、約６ｍｍである。厚さｘは、当然、６ｍｍよりも大きくても、あるいは、小さくてもよい。
【００１５】
図３ａおよび３ｂは、それぞれ、図１および２に示した開閉部１１０および開閉部３０５を示す。図３ｂに見られるように、開閉部３０５は、図１に示した本体１５０などの本体に取り付けることができる開閉部３０５を使用者が開閉するのを助けるためのタブ３１０を含んでいる。タブ３１０の形状、サイズおよび様式は、例示に過ぎない。タブ３１０および開閉部３０５は、単体の材料片であっても、あるいは、個別の材料片を接合したものであってもよい。図３ｃは、図３ｂに示した代表的な開閉部３０５の裏側を示す。開閉部３０５は、菓子物品７０５を取り出すのに使用されていない時、例えば、本体１０５と係合し、かつ、開閉部３０５を閉じた状態に保つよう操作可能な止め具３２０を含んでいる。開閉部１１０、開閉部３０５および本体１１０は、この技術分野において周知の、それぞれの開閉部を閉じた状態に保つための多数の他のデザインを利用することができる。開閉部は、タブ（例えば、タブ３１０）を有するのとは反対に、図３ａに示すように、タブを欠いていてよい。開閉部１１０および開閉部３０５は、小分け容器１００の隅部で使用されるように設計されている。しかしながら、実施形態は例示に過ぎないので、開閉部は、それぞれの開閉部を使用者が開閉するのを助けるためのさまざまな他の方法および位置で構築し、かつ、設置することができ、本発明に記述された実施形態に限定されない。
【００１６】
小分け容器１００の代表的な使用法が、図４に示されている。図４は、フリップトップ式煙草パッケージ４０５の包装材４１５と煙草パッケージ４０５の裏板紙との間に挿入されている小分け容器１００を示す。包装材４１５は、各種の材料（例えば、軟質プラスチック）から作ることができる。煙草パッケージ４０５は、この技術分野においてハードパックと呼ばれており、かつ、ヒンジ４２０によって煙草パッケージ４０５に連結されているフリップトップ４１０を含んでいる。フリップトップ４１０は、その内部に収納された一つまたはそれ以上の煙草を包含している。図４に見られるように、小分け容器１００が包装材４１５の下に挿入された後、開閉部１１０は、包装材４１５の外側に留まる。その結果、図７に示すように、使用者は、小分け容器１００の小室５０５内に収納された菓子物品７０５を、煙草パッケージ４０５と包装材４１５との間から小分け容器１００を取り出す必要なしに、抽出することができる。図５は、包装材４１５と煙草パッケージ４０５との間に小分け容器１１０が挿入されている間に開き、それにより、ミントなどの菓子物品７０５を小室５０５から回収することができる開閉部１００を示す。
【００１７】
また、テーパー付き縁部１１５は、使用者が狭い場所（例えば、包装材４１５と煙草パッケージ４０５との間）に小分け容器１００をより容易に挿入するのを可能にする。これは、煙草パッケージ４０５が新しく、かつ、包装材４１５が引き締まっていて、包装材４１５の上端に、何らかの物を挿入するためのスペースがほとんど、あるいは、全くない時、特に有用である。しかしながら、テーパー付き縁部１１５により、小分け容器１００は、狭いポケットおよび財布などの他の狭い場所に、容易に挿入することができる。
【００１８】
代表的な実施形態では、小分け容器１００の寸法は、煙草パッケージ４０５と包装材４１５との間から小分け容器１００を取り出す必要なしに、小室５０５から菓子物品７０５を抽出することができるような寸法である。より詳しくは、図４および５に示すように、包装材４１５の底が煙草パッケージ４０５の底に接触している時、煙草パッケージ４０５の底から開閉部１１０の最下部までの距離である長さａは、包装材４１５の底から包装材４１５の上端までの距離である長さｂよりも大きいか、あるいは、それに等しい。底壁１２０が包装材４１５の底に接触している時でも、長さａは、長さｂよりも大きいか、あるいは、それに等しい。代替の実施形態では、長さａは、底壁１２０が包装材４１５の底に接触して、開閉部１１０の少なくとも一部が包装材４１５に覆われている時、長さｂよりも小さくてよい。その結果、使用者は、菓子物品７０５を取り出すため、開閉部１１０が露出した状態に保たれるまで、包装材４１５と煙草パッケージ４０５との間に小分け容器１００を挿入することができる。包装材４１５は、小分け容器１００を適切な場所に保持できるほど十分にきつい。さらに、煙草パッケージ４０５に対する小分け容器１００の寸法により、フリップトップ４１０を開けることによって、小分け容器１００を取り出すことなしに、煙草パッケージ４０５から煙草を取り出すことができる。
【００１９】
長さｃは、底壁１２０から上壁１３０までの距離を表し、長さｄは、煙草パッケージ４０５の底からヒンジ４２０までの距離を表し、幅ｆは、側壁１２５ａから側壁１２５ｂまでの距離を表す。幅ｆは、包装材４１５内に小分け容器１００が嵌まることができるような幅である。さらに、図２に示した小分け容器１００の厚さｘは、きつく装着された包装材４１５と煙草パッケージ４０５との間に小分け容器１００が嵌まることができるような厚さである。
【００２０】
上記の長さ、幅および厚さの例は、長さｃが約６４ｍｍであってよく、長さａが約７０ｍｍであってよく、長さｂが約５４ｍｍであってよく、長さｄが約７５ｍｍであってよく、幅ｆが約４８ｍｍであってよく、かつ、厚さｘが約６ｍｍであってよい。煙草パッケージ４０５および包装材４１５に対する小分け容器１００の寸法の結果、煙草パッケージ４０５と包装材４１５との間から小分け容器１００を取り出す必要なしに、かつ、包装材４１５が開閉部１１０の開閉を妨げることなしに、小室５０５から菓子物品７０５を抽出することができる。当然、小分け容器１００は、包装材４１５と煙草パッケージ４０５の前との間で使用することもできる。
【００２１】
煙草パッケージ４０５は、この技術分野において、フリップトップを有さないソフトパックと呼ばれるものであっても、フリップトップを有する軟質または硬質のトールパックと呼ばれるものであっても、あるいは、軟質または硬質のワイドパックと呼ばれるものであってもよい。
【００２２】
ソフトパックについては、ソフトパックの包装材は、ソフトパックの上端または上端近くまで伸長している場合があり、あるいは、包装材は、図４に示した包装材４１５と同様の距離しか伸長していない場合もある。包装材が図４に示した包装材４１５と同じ距離だけ伸長している場合は、小分け容器１１０は、煙草パッケージ４０５を引用して上に述べたものと同じ方法で機能する。しかしながら、包装材がソフトパックの上端まで伸長している場合は、包装材とソフトパックとの間に小分け容器１００が完全に挿入されている時、小分け容器１００の開閉部１１０は、包装材に覆われている可能性がある。テーパー付き縁部１１５は、それでも、使用者が包装材とソフトパックとの間に小分け容器１００をより容易に挿入するのを可能にするであろう。使用者は、菓子物品７０５を取り出すために、少なくとも、開閉部１１０が露出され、かつ、それを開けることができるまで、包装材から小分け容器１００を滑り出させる必要がある。また、使用者は、菓子物品７０５を取り出すために、開閉部１１０が露出した状態に保たれるまで、包装材とソフトパックとの間に小分け容器１００を挿入することができる。ソフトパックの包装材は、小分け容器１００を適切な場所に保持できるほど十分にきつい。当然、小分け容器１００の長さｃなどの寸法は、包装材とソフトパックとの間に小分け容器１００が完全に、あるいは、ほぼ完全に挿入されている間、開閉部１１０を開けることができるよう、そのようなソフトパック用に変更することができる。そのような場合、小分け容器１００は、ソフトパックの上端より先まで伸長していてよい。
【００２３】
フリップトップを有するトールハードパック、およびトールソフトパックは、しばしば、それぞれのパックの上端まで伸長していない包装材を有しているが、しばしば、包装材４１５よりも長い包装材を有している。その結果、そのようなトールパックと共に小分け容器１００を使用する時、小分け容器１００をあまり深く挿入すると、包装材が開閉部１１０を覆う可能性がある。したがって、使用者は、菓子物品７０５を取り出すために、開閉部１１０が露出した状態に保たれるまで、包装材とトールパックとの間に小分け容器１００を挿入することができる。包装材は、小分け容器１００を適切な場所に保持できるほど十分にきつい。さらに、テーパー付き縁部１１５は、それでも、使用者が包装材とトールパックとの間に小分け容器１００をより容易に挿入するのを可能にするであろう。上述したソフトパックの場合のように、小分け容器１００の長さｃなどの寸法は、包装材とトールパックとの間に小分け容器１００が挿入されている間、開閉部１１０を開けることができるよう、トールパック用に変更することができる。最終的に、小分け容器１００または変更後の寸法を有する小分け容器は、それでも、トールパックに対するそれぞれの小分け容器の寸法により、使用者がフリップトップを開けることによって、小分け容器１００を取り出すことなしに、フリップトップを有するトールパックから煙草を取り出すのを可能にするであろう。
【００２４】
同様に、図６は、煙草パッケージ４０５に対する小分け容器１００の寸法により、フリップトップ４１０を開けることによって、小分け容器１００を取り出すことなしに、煙草パッケージ４０５から煙草などの物品を取り出すことができることを示す。より詳しくは、少なくとも、図４、５および６に示した距離ｅにより、包装材４１５と煙草パッケージ４０５の背部との間に小分け容器１００が挿入されている間、フリップトップ４１０を開けることができる。フリップトップ４１０を煙草パッケージ４０５に連結するヒンジ４２０から小分け容器１００の上壁１３０までの距離である距離ｅは、フリップトップ４１０に接触することなしに、例えば、満杯のパッケージから、各煙草６０５を取り出すことができるように、フリップトップ４１０が十分な量だけ開くのを可能にする。例えば、距離ｅは、３ｍｍ〜１０ｍｍの範囲にあってよい。距離ｅが適切であるためには、上壁１３０と底壁１２０との間の距離は、煙草パッケージ４０５の包装材４１５と煙草パッケージ４０５との間に本体１５０が挿入されている間、煙草パッケージ４０５のフリップトップ４１０を開けることができ、かつ、一つまたはそれ以上の煙草を抽出することができるよう予め決められた量である。
【００２５】
図８ａは、本発明の別の代表的な小分け容器８００の上面図を示す。図８ａに示した小分け容器８００は、上壁８０５、前壁８３０、背壁８３５、開閉部８１０、開閉部８１５および小室８２０を含んでいる。図８に見られるように、小分け容器８００は、小分け容器８００の両側８３０、８３５に二つの開閉部８１０、８１５を含んでいる。煙草パッケージと煙草パッケージ包装材との間に挿入された後、前壁８３０と背壁８３５のどちらが使用者に対面しているかに応じて、小分け容器８００を取り出す必要なしに、開閉部８１０、８１５のどちらかを使用して、小室８２０から菓子物品７０５を抽出することができる。小分け容器８００の両側８３０、８３５にある二つの開閉部８１０、８１５の使用は、煙草パッケージと包装材との間に挿入されている間に、開閉部８１０、８１５が開くのを妨害するような方法で使用者が小分け容器８００を挿入するのを防止する。
【００２６】
代替の実施形態では、開閉部８１０、８１５は、さまざまな他の方法で小分け容器８００上に配置することができる。例えば、開閉部８１０、８１５の両方が前側７３０または裏側７３５にあってよく、あるいは、小分け容器８００の３〜８個すべての隅が同じ菓子物品７０５を抽出するための開口を有するように、１〜６個の追加の開閉部を利用することができる。別の代替の実施形態では、図８ｂに示すように、開閉部８１０、８１５などの複数の開閉部のそれぞれが、同じまたは異なる菓子物品を保持する個別の、かつ、隔てられた小室８５０、８５５へのアクセスを提供することができる。各小室へのアクセスを提供する一つまたはそれ以上の個別の開閉部を有する小分け容器に、追加の小室を組み込むことができる。
【００２７】
本発明は、小分け容器１００などの小分け容器を煙草パッケージと共に使用することに限定されない。むしろ、小分け容器１００の長さｃなどの寸法は、包装材とパッケージとの間に小分け容器１００が挿入されている間、一つまたはそれ以上の開閉部を開けることができるよう、包装材を有する別のタイプのパッケージ（例えば、葉巻パッケージ）用に変更することができる。また、小分け容器は、財布、名刺入れ、ブリーフケース内のポケット、および何らかの物を保持することができる任意の他の挿入口に挿入することができる。
【００２８】
さらに、小分け容器１００は、ライターまたは口臭予防スプレー装置としても機能するよう、あるいは、ライターまたは口臭予防スプレー装置としてのみ機能するよう、設計することができる。図９ａ、９ｂおよび１０ａ、１０ｂは、それぞれ、ライター９００および口臭予防スプレー装置１０００を示す。
【００２９】
図９ａに見られるように、ライター９００は、本体９１５を含んでおり、かつ、点火機構９１０は、操作されると火炎９２５を生じる。本体９１５は、テーパー付き縁部９０５および底壁９２０を含んでいる。テーパー付き縁部９０５により、使用者は、煙草パックの包装材と煙草パックとの間にライター９００をより容易に挿入することができる。さらに、ライター９００の寸法は、ライター９００が煙草パックの包装材と煙草パックとの間に嵌まることができ、かつ、例えば、煙草パッケージのフリップトップを開けることによって、ライター９００を取り出すことなしに、煙草パッケージから煙草を取り出すことができるような寸法である。図９ｂは、代表的なライター９００の側面図を示す。ライター９００の寸法は、ライター９００が各種の異なるタイプの煙草パッケージとの使用に適合するよう変更することができる。また、代替の実施形態では、火炎９２５は、包装材と煙草パックとの間からライター９００を取り出すことなしに、例えば、煙草に火をつけるのにライター９００を利用することができるよう、本体９１５の前壁または背壁の上部で発生させることができる。
【００３０】
図１０ａは、代表的な口臭予防スプレー装置１０００を示す。口臭予防スプレー装置１０００は、本体１０１０、押下ユニット１０１５、およびそれを通して口臭予防ミストを抽出することができる穴１０２０を含んでいる。本体１０１０は、テーパー付き縁部１００５を含んでいる。図１０ｂは、図１０ａに示した代表的な口臭予防スプレー装置１０００の側面図を示す。テーパー付き縁部１００５は、図９ａ、９ｂに示したライター９００と同様、使用者が、煙草パックの包装材と煙草パックとの間に口臭予防スプレー装置１０００をより容易に挿入するのを可能にする。さらに、口臭予防スプレー装置１０００の寸法は、口臭予防スプレー装置１０００が煙草パックの包装材と煙草パックとの間に嵌まることができ、かつ、例えば、煙草パッケージのフリップトップを開けることによって、口臭予防スプレー装置１０００を取り出すことなしに、煙草パッケージから煙草を取り出すことができるような寸法である。口臭予防スプレー装置１０００の寸法は、口臭予防スプレー装置１０００が各種の異なるタイプの煙草パッケージとの使用に適合するよう変更することができる。また、包装材と煙草パックとの間に挿入されている時、穴１０２０が包装材よりも上に位置する場合は、口臭予防スプレー装置１０００を取り出すことなしに、穴１０２０から口臭予防ミストを抽出することができる。したがって、穴１０２０は、本体１０１０の前壁または背壁の上部に設置することが望ましい。
【００３１】
上述した実施形態は、本発明の説明的な例であって、本発明がこれら特定の実施形態に限定されるものと解釈すべきではない。この技術に長けた人なら、添付のクレームに定義されているような発明の趣旨または範囲を逸脱することなしに、各種の変更および修正が実施可能である。
【図面の簡単な説明】
【００３２】
【図１】本発明の代表的な小分け容器の正面図を示す。
【図２】本発明の代表的な小分け容器の側面図を示す。
【図３ａ】本発明の小分け容器の代表的な開閉部を示す。
【図３ｂ】本発明の小分け容器の別の代表的な開閉部を示す。
【図３ｃ】本発明の図３ｂに示した代表的な開閉部の裏側を示す。
【図４】本発明の煙草パッケージ包装材と煙草パッケージとの間に挿入されている代表的な小分け容器を示す。
【図５】本発明の煙草パッケージ包装材と煙草パッケージとの間に挿入されている代表的な小分け容器を示す。
【図６】本発明の煙草パッケージ包装材と煙草パッケージとの間に挿入されている代表的な小分け容器を示す。
【図７】本発明の代表的な小分け容器の内側小室を示す。
【図８ａ】二つの開閉部を有する代表的な小分け容器の上面図を示す。
【図８ｂ】二つの小分け用開閉部を有する代表的な小分け容器の二つの小室を示す。
【図９ａ】本発明の代表的なライターを示す。
【図９ｂ】図９ａに示した代表的なライターの側面図を示す。
【図１０ａ】本発明の代表的な口臭ミントスプレー装置を示す。
【図１０ｂ】図１０ａに示した代表的な口臭予防スプレー装置の側面図を示す。
【国際公開パンフレット】
2005500212.tif 000003
2005500212.tif 000004
2005500212.tif 000005
2005500212.tif 000006
2005500212.tif 000007
2005500212.tif 000008
2005500212.tif 000009
2005500212.tif 000010
2005500212.tif 000011
2005500212.tif 000012
2005500212.tif 000013
2005500212.tif 000014
2005500212.tif 000015
2005500212.tif 000016
2005500212.tif 000017
2005500212.tif 000018
2005500212.tif 000019
2005500212.tif 000020
2005500212.tif 000021
2005500212.tif 000022
2005500212.tif 000023
2005500212.tif 000024
2005500212.tif 000025
2005500212.tif 000026
2005500212.tif 000027
2005500212.tif 000028
2005500212.tif 000029
2005500212.tif 000030
2005500212.tif 000031
2005500212.tif 000032
2005500212.tif 000033
2005500212.tif 000034
2005500212.tif 000035
2005500212.tif 000036
2005500212.tif 000037
2005500212.tif 000038
2005500212.tif 000039
2005500212.tif 000040
2005500212.tif 000041
2005500212.tif 000042
2005500212.tif 000043
2005500212.tif 000044
2005500212.tif 000045
【国際調査報告】
2005500212.tif 000046